(57)【要約】      （修正有）【課題】電極への水銀の凝縮を抑制できる光源装置を提供する。【解決手段】光を射出する放電灯と、放電灯に駆動電力を供給する放電灯駆動部と、放電灯を冷却する冷却部と、冷却部を制御する制御部と、を備える。放電灯駆動部は、放電灯に第１駆動電力が供給される第１駆動期間ＰＨ１と、放電灯に第１駆動電力よりも小さい第２駆動電力が供給される第２駆動期間ＰＨ３と、第１駆動期間から第２駆動期間へと移行する移行期間ＰＨ２と、が設けられるように放電灯に駆動電力を供給する。制御部は、駆動電力に比例する第１出力で冷却部を駆動する第１出力駆動と、駆動電力に対して第１出力よりも大きい第２出力で冷却部を駆動する第２出力駆動と、を実行可能であり、第１駆動期間の少なくとも一部と第２駆動期間の少なくとも一部とにおいて、第１出力駆動を実行し、移行期間の少なくとも一部において、第２出力駆動を実行する。【選択図】図４
2015191784.tif 000002
【特許請求の範囲】
【請求項１】
光を射出する放電灯と、
前記放電灯に駆動電力を供給する放電灯駆動部と、
前記放電灯を冷却する冷却部と、
前記冷却部を制御する制御部と、
を備え、
前記放電灯駆動部は、前記放電灯に第１駆動電力が供給される第１駆動期間と、前記放
電灯に前記第１駆動電力よりも小さい第２駆動電力が供給される第２駆動期間と、前記第
１駆動期間から前記第２駆動期間へと移行する移行期間と、が設けられるように前記放電
灯に前記駆動電力を供給し、
前記制御部は、
前記駆動電力に比例する第１出力で前記冷却部を駆動する第１出力駆動と、前記駆動電
力に対して前記第１出力よりも大きい第２出力で前記冷却部を駆動する第２出力駆動と、
を実行可能であり、
前記第１駆動期間の少なくとも一部と前記第２駆動期間の少なくとも一部とにおいて、
前記第１出力駆動を実行し、
前記移行期間の少なくとも一部において、前記第２出力駆動を実行することを特徴とす
る光源装置。
【請求項２】
光を射出する放電灯と、
前記放電灯に駆動電力を供給する放電灯駆動部と、
前記放電灯を冷却する冷却部と、
前記放電灯駆動部及び前記冷却部を制御する制御部と、
を備え、
前記放電灯駆動部は、前記放電灯に第１駆動電力が供給される第１駆動期間と、前記放
電灯に前記第１駆動電力よりも小さい第２駆動電力が供給される第２駆動期間と、前記第
１駆動期間から前記第２駆動期間へと移行する移行期間と、が設けられるように前記放電
灯駆動部を制御し、
前記制御部は、
前記駆動電力に比例する第１出力で前記冷却部を駆動する第１出力駆動と、前記駆動電
力に対して前記第１出力よりも大きい第２出力で前記冷却部を駆動する第２出力駆動と、
を実行可能であり、
前記第１駆動期間の少なくとも一部と前記第２駆動期間の少なくとも一部とにおいて、
前記第１出力駆動を実行し、
前記第２駆動電力に基づいて、前記移行期間の少なくとも一部において、前記第２出力
駆動の実行の有無を判断することを特徴とする光源装置。
【請求項３】
前記第２出力は、前記第１駆動期間において前記冷却部を駆動する前記第１出力と等し
い、請求項１または２に記載の光源装置。
【請求項４】
前記第２出力は、前記第１駆動期間において前記冷却部を駆動する前記第１出力よりも
大きい、請求項１または２に記載の光源装置。
【請求項５】
前記第２出力は、前記第２駆動電力に基づいて設定される、請求項１または２に記載の
光源装置。
【請求項６】
前記第２出力は、周囲の温度に基づいて設定される、請求項１または２に記載の光源装
置。
【請求項７】
前記第２出力駆動は、前記移行期間と前記第２駆動期間とにまたがって実行される、請
求項１から６のいずれか一項に記載の光源装置。
【請求項８】
前記第２出力駆動の実行時間は、前記第２駆動電力に基づいて設定される、請求項１か
ら７のいずれか一項に記載の光源装置。
【請求項９】
前記放電灯は、内部に水銀が封入された放電灯本体を備え、
前記制御部は、前記放電灯本体の放電灯温度が、前記第２駆動期間において前記第１出
力駆動が実行された場合に維持される前記放電灯温度より低くなるように前記第２出力駆
動を実行する、請求項１から８のいずれか一項に記載の光源装置。
【請求項１０】
前記放電灯は、内部に水銀が封入された放電灯本体を備え、
前記制御部は、前記放電灯本体の放電灯温度が、前記水銀の凝縮温度以下となるように
前記第２出力駆動を実行する、請求項１から９のいずれか一項に記載の光源装置。
【請求項１１】
前記制御部は、前記移行期間の少なくとも一部において、前記放電灯に前記第２駆動電
力よりも小さい第３駆動電力を供給する、請求項１から１０のいずれか一項に記載の光源
装置。
【請求項１２】
請求項１から１１のいずれか一項に記載の光源装置と、
前記光源装置から射出される光を映像信号に応じて変調する光変調素子と、
前記光変調素子により変調された光を投射する投射光学系と、
を備えることを特徴とするプロジェクター。
【請求項１３】
光を射出する放電灯と、前記放電灯に駆動電力を供給する放電灯駆動部と、前記放電灯
を冷却する冷却部と、を備える放電灯の冷却方法であって、
前記放電灯に第１駆動電力が供給される第１駆動期間と、
前記放電灯に前記第１駆動電力よりも小さい第２駆動電力が供給される第２駆動期間と
、
前記第１駆動期間から前記第２駆動期間へと移行する移行期間と、
を設定し、
前記第１駆動期間の少なくとも一部と前記第２駆動期間の少なくとも一部とにおいて、
前記駆動電力に比例する第１出力で前記冷却部を駆動し、
前記移行期間の少なくとも一部において、前記駆動電力に対して前記第１出力よりも大
きい第２出力で前記冷却部を駆動することを特徴とする放電灯の冷却方法。
【請求項１４】
光を射出する放電灯と、前記放電灯に駆動電力を供給する放電灯駆動部と、前記放電灯
を冷却する冷却部と、を備える放電灯の冷却方法であって、
前記放電灯に第１駆動電力が供給される第１駆動期間と、
前記放電灯に前記第１駆動電力よりも小さい第２駆動電力が供給される第２駆動期間と
、
前記第１駆動期間から前記第２駆動期間へと移行する移行期間と、
を設定し、
前記第１駆動期間の少なくとも一部と前記第２駆動期間の少なくとも一部とにおいて、
前記駆動電力に比例する第１出力で前記冷却部を駆動し、
前記第２駆動電力に基づいて、前記移行期間の少なくとも一部において、前記駆動電力
に対して前記第１出力よりも大きい第２出力による前記冷却部の駆動の有無を判断するこ
とを特徴とする放電灯の冷却方法。
【発明の詳細な説明】
【技術分野】
【０００１】
本発明は、光源装置、プロジェクター、及び放電灯の冷却方法に関する。
【背景技術】
【０００２】
光源の長寿命化等を目的として、通常使用時におけるスタンバイ等の一時的な待機状態
や休止状態等において、電力を軽減するプロジェクターが提案されている（例えば、特許
文献１）。
【先行技術文献】
【特許文献】
【０００３】
【特許文献１】特開２００７−４１６１７号公報
【発明の概要】
【発明が解決しようとする課題】
【０００４】
ところで、プロジェクターを消灯すると、放電灯内の温度が低下するため、放電灯内に
封入されている水銀が凝縮して、放電灯の内壁や電極に付着する場合がある。電極に水銀
が付着することによって電極間が接続される（水銀ブリッジ）と、電極間が短絡し、放電
灯を点灯できなくなる場合があった。
【０００５】
特に、放電灯を比較的低い電力で駆動する場合には、電極の温度が放電灯の内壁の温度
に対して比較的低い温度となるため、プロジェクターを消灯した際に、電極の温度と内壁
の温度とが同程度に低下しやすい。そのため、電極と内壁とのどちらにおいても水銀が凝
縮しやすく、水銀ブリッジが発生しやすいという問題があった。
【０００６】
本発明の一つの態様は、上記問題点に鑑みて成されたものであって、電極への水銀の凝
縮を抑制できる光源装置、そのような光源装置を用いたプロジェクター、及び放電灯の冷
却方法を提供することを目的の一つとする。
【課題を解決するための手段】
【０００７】
本発明の光源装置の一つの態様は、光を射出する放電灯と、前記放電灯に駆動電力を供
給する放電灯駆動部と、前記放電灯を冷却する冷却部と、前記冷却部を制御する制御部と
、を備え、前記放電灯駆動部は、前記放電灯に第１駆動電力が供給される第１駆動期間と
、前記放電灯に前記第１駆動電力よりも小さい第２駆動電力が供給される第２駆動期間と
、前記第１駆動期間から前記第２駆動期間へと移行する移行期間と、が設けられるように
前記放電灯に前記駆動電力を供給し、前記制御部は、前記駆動電力に比例する第１出力で
前記冷却部を駆動する第１出力駆動と、前記駆動電力に対して前記第１出力よりも大きい
第２出力で前記冷却部を駆動する第２出力駆動と、を実行可能であり、前記第１駆動期間
の少なくとも一部と前記第２駆動期間の少なくとも一部とにおいて、前記第１出力駆動を
実行し、前記移行期間の少なくとも一部において、前記第２出力駆動を実行することを特
徴とする。
【０００８】
本発明の光源装置の一つの態様によれば、移行期間の少なくとも一部において、駆動電
力に比例する第１出力よりも大きい第２出力で冷却部が駆動される第２出力駆動が実行さ
れるため、移行期間において放電灯の温度を低くすることができる。これにより、移行期
間において放電灯の内壁に凝縮する水銀の量が増加するため、放電灯を消灯した際に、電
極に水銀が凝縮して付着することを抑制できる。
【０００９】
本発明の光源装置の一つの態様は、光を射出する放電灯と、前記放電灯に駆動電力を供
給する放電灯駆動部と、前記放電灯を冷却する冷却部と、前記放電灯駆動部及び前記冷却
部を制御する制御部と、を備え、前記放電灯駆動部は、前記放電灯に第１駆動電力が供給
される第１駆動期間と、前記放電灯に前記第１駆動電力よりも小さい第２駆動電力が供給
される第２駆動期間と、前記第１駆動期間から前記第２駆動期間へと移行する移行期間と
、が設けられるように前記放電灯駆動部を制御し、前記制御部は、前記駆動電力に比例す
る第１出力で前記冷却部を駆動する第１出力駆動と、前記駆動電力に対して前記第１出力
よりも大きい第２出力で前記冷却部を駆動する第２出力駆動と、を実行可能であり、前記
第１駆動期間の少なくとも一部と前記第２駆動期間の少なくとも一部とにおいて、前記第
１出力駆動を実行し、前記第２駆動電力に基づいて、前記移行期間の少なくとも一部にお
いて、前記第２出力駆動の実行の有無を判断することを特徴とする。
【００１０】
本発明の光源装置の一つの態様によれば、第２駆動電力に基づいて、移行期間における
第２出力駆動の実行の有無を判断する。そのため、第２駆動電力が比較的低い場合に、第
２出力駆動を実行することが可能であり、上述したのと同様にして放電灯を消灯した際に
電極に水銀が凝縮して付着することを抑制できる。
【００１１】
前記第２出力は、前記第１駆動期間において前記冷却部を駆動する前記第１出力と等し
い構成としてもよい。
この構成によれば、冷却部を駆動する出力を第１駆動期間と同じ出力とできるため、制
御が簡便である。
【００１２】
前記第２出力は、前記第１駆動期間において前記冷却部を駆動する前記第１出力よりも
大きい構成としてもよい。
この構成によれば、移行期間において放電灯をより冷却できるため、放電灯を消灯した
際に電極に水銀が凝縮して付着することをより抑制できる。
【００１３】
前記第２出力は、前記第２駆動電力に基づいて設定される構成としてもよい。
この構成によれば、第２駆動電力に基づいて第２出力が設定されるため、より適切に放
電灯を冷却し、電極に水銀が凝縮して付着することを抑制できる。
【００１４】
前記第２出力は、周囲の温度に基づいて設定される構成としてもよい。
この構成によれば、例えば、周囲の温度が比較的低く、放電灯が冷却されやすい場合に
、第２出力の値を低く設定することで、黒化を抑制できる。
【００１５】
前記第２出力駆動は、前記移行期間と前記第２駆動期間とにまたがって実行される構成
としてもよい。
この構成によれば、より放電灯を冷却でき、電極に水銀が凝縮して付着することをより
抑制できる。
【００１６】
前記第２出力駆動の実行時間は、前記第２駆動電力に基づいて設定される構成としても
よい。
この構成によれば、第２出力駆動の実行時間を適切に設定できる。
【００１７】
前記放電灯は、内部に水銀が封入された放電灯本体を備え、前記制御部は、前記放電灯
本体の放電灯温度が、前記第２駆動期間において前記第１出力駆動が実行された場合に維
持される前記放電灯温度より低くなるように前記第２出力駆動を実行する構成としてもよ
い。
この構成によれば、より水銀を凝縮させることができる。
【００１８】
前記放電灯は、内部に水銀が封入された放電灯本体を備え、前記制御部は、前記放電灯
本体の放電灯温度が、前記水銀の凝縮温度以下となるように前記第２出力駆動を実行する
構成としてもよい。
この構成によれば、より水銀を凝縮させることができる。
【００１９】
前記制御部は、前記移行期間の少なくとも一部において、前記放電灯に前記第２駆動電
力よりも小さい第３駆動電力を供給する構成としてもよい。
この構成によれば、移行期間において、より放電灯の温度を低下させることができる。
【００２０】
本発明のプロジェクターの一つの態様は、上記の光源装置と、前記光源装置から射出さ
れる光を映像信号に応じて変調する光変調素子と、前記光変調素子により変調された光を
投射する投射光学系と、を備えることを特徴とする。
【００２１】
本発明のプロジェクターの一つの態様によれば、上述した光源装置を備えているため、
放電灯の電極に水銀が凝縮して付着することが抑制されるプロジェクターが得られる。
【００２２】
本発明の放電灯の冷却方法の一つの態様は、光を射出する放電灯と、前記放電灯に駆動
電力を供給する放電灯駆動部と、前記放電灯を冷却する冷却部と、を備える放電灯の冷却
方法であって、前記放電灯に第１駆動電力が供給される第１駆動期間と、前記放電灯に前
記第１駆動電力よりも小さい第２駆動電力が供給される第２駆動期間と、前記第１駆動期
間から前記第２駆動期間へと移行する移行期間と、を設定し、前記第１駆動期間の少なく
とも一部と前記第２駆動期間の少なくとも一部とにおいて、前記駆動電力に比例する第１
出力で前記冷却部を駆動し、前記移行期間の少なくとも一部において、前記駆動電力に対
して前記第１出力よりも大きい第２出力で前記冷却部を駆動することを特徴とする。
【００２３】
本発明の放電灯の冷却方法の一つの態様によれば、上述したのと同様にして、電極に水
銀が凝縮して付着することを抑制できる。
【００２４】
本発明の放電灯の冷却方法の一つの態様は、光を射出する放電灯と、前記放電灯に駆動
電力を供給する放電灯駆動部と、前記放電灯を冷却する冷却部と、を備える放電灯の冷却
方法であって、前記放電灯に第１駆動電力が供給される第１駆動期間と、前記放電灯に前
記第１駆動電力よりも小さい第２駆動電力が供給される第２駆動期間と、前記第１駆動期
間から前記第２駆動期間へと移行する移行期間と、を設定し、前記第１駆動期間の少なく
とも一部と前記第２駆動期間の少なくとも一部とにおいて、前記駆動電力に比例する第１
出力で前記冷却部を駆動し、前記第２駆動電力に基づいて、前記移行期間の少なくとも一
部において、前記駆動電力に対して前記第１出力よりも大きい第２出力による前記冷却部
の駆動の有無を判断することを特徴とする。
【００２５】
本発明の放電灯の冷却方法の一つの態様によれば、上述したのと同様にして、電極に水
銀が凝縮して付着することを抑制できる。
【図面の簡単な説明】
【００２６】
【図１】第１実施形態のプロジェクターの概略構成図である。
【図２】第１実施形態の放電灯の断面図である。
【図３】第１実施形態の放電灯の部分拡大断面図である。
【図４】第１実施形態における制御ユニットによるプロジェクターの制御方法を示すグラフである。
【図５】第１実施形態におけるファン電圧の波形の他の一例を示すグラフである。
【図６】第１実施形態におけるファン電圧の波形の他の一例を示すグラフである。
【図７】第１実施形態における駆動電力の波形の他の一例を示すグラフである。
【図８】第２実施形態における制御ユニットによるプロジェクターの制御方法を示すグラフである。
【図９】第２実施形態におけるファン電圧の波形の他の一例を示すグラフである。
【図１０】第３実施形態における制御ユニットによるプロジェクターの制御方法を示すグラフである。
【図１１】第４実施形態における低電力期間の駆動電力と高出力モードの実行時間との関係を示すグラフである。
【図１２】第４実施形態におけるファン電圧の波形の他の一例を示すグラフである。
【図１３】放電灯の内部に水銀が凝縮した様子を示す図である。
【発明を実施するための形態】
【００２７】
以下、図面を参照しながら、本発明の実施形態に係るプロジェクターについて説明する
。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００２８】
（第１実施形態）
図１は、本実施形態に係るプロジェクター１Ａの構成概略図である。
本実施形態に係るプロジェクター１Ａは、図１に示すように、内部に設けられた光源か
ら射出された光束を変調して、画像情報に応じた画像光を形成し、画像光をスクリーン等
の被投射面上に拡大投射するものである。プロジェクター１Ａは、外装を構成する外装筐
体２と、外装筐体２内に収納される装置本体３と、を備える。
【００２９】
外装筐体２は、天面（図示せず）と、正面２Ｂと、背面２Ｃと、左側面２Ｄと、右側面
２Ｅと、底面（図示せず）と、を備え、平面視略矩形状に形成された箱状体である。外装
筐体２の底面には、複数の脚部（図示せず）が設けられている。
【００３０】
プロジェクター１Ａは、脚部が設置面に接するように配置されることで正置き姿勢とな
り、また、正置き姿勢とは上下を逆にして底面を天井等に向けた状態で取り付けられるこ
とで天吊り姿勢となる。
【００３１】
装置本体３は、光学制御装置２００ａと、第１冷却装置ＣＵ１と、光学ユニット４と、
を備える。また、装置本体３は、図示を省略したが、プロジェクター１Ａの各構成部材に
駆動電力を供給する電源装置等を備える。
【００３２】
光学制御装置２００ａは、第１冷却装置ＣＵ１と、光学ユニット４と、を制御する。
第１冷却装置ＣＵ１は、ファンＦ１及びファンＦ２により構成され、外装筐体２の外か
ら冷却流体である冷却空気を導入し、光学ユニット４、光学制御装置２００ａ及び電源装
置に冷却空気を送風して、これら各装置を冷却する。ファンＦ１，Ｆ２は、投射光学装置
４５を挟むように配置されている。ファンＦ１，Ｆ２は、シロッコファンで構成され、外
装筐体２に形成された吸気口（図示せず）から外部の冷却空気を導入し、冷却空気を後述
する電気光学装置４４に送風する。
【００３３】
光学ユニット４は、光学制御装置２００ａによる制御の下、画像情報に応じた画像光を
形成し、画像光を、スクリーン等に投射する。光学ユニット４は、光源装置５と、照明光
学装置４１と、色分離光学装置４２と、リレー光学装置４３と、電気光学装置４４と、投
射光学装置（投射光学系）４５と、光学部品用筐体４６と、を備える。
光学部品用筐体４６は、光学ユニット４の各装置を、内部に設定された照明光軸Ａ上の
所定位置に収納し、投射光学装置４５を支持する。
【００３４】
光源装置５は、光束を射出する。光源装置５は、第２冷却装置（冷却部）ＣＵ２と、光
源ユニット５０と、平行化凹レンズ５６と、ハウジング５７と、ファン制御装置（制御部
）２００ｂと、を備える。
【００３５】
第２冷却装置ＣＵ２は、ファンＦ３及びファンＦ４により構成されている。
ファンＦ３，Ｆ４は、光源ユニット５０の近傍に配置されている。プロジェクター１Ａ
の背面２Ｃ側に位置するファンＦ３は、シロッコファンで構成され、外装筐体２内の冷却
空気を吸引して、光源ユニット５０に送風する。
【００３６】
また、プロジェクター１Ａの正面２Ｂ側に位置するファンＦ４は、軸流ファンで構成さ
れている。ファンＦ４は、光源ユニット５０を冷却した空気を吸引して、プロジェクター
１Ａの正面２Ｂに向かって排出し、該空気を正面２Ｂの排気口２Ｂ１を介して外装筐体２
外に排出する。
なお、ファンＦ３は軸流ファンであってもよく、ファンＦ４はシロッコファンであって
もよい。また、排気口２Ｂ１は、外装筐体２のどの面に形成されていてもよい。
【００３７】
図２は、光源ユニット５０の構成を示す断面図である。光源ユニット５０は、図２に示
すように、主反射鏡５５と、放電灯９０と、副反射鏡５２と、放電灯点灯装置（放電灯駆
動部）１０と、を備えている。
主反射鏡５５は、放電灯９０から放出された光を照射方向Ｄに向けて反射する。照射方
向Ｄは、放電灯９０の照明光軸Ａと平行である。
【００３８】
放電灯９０の形状は、照射方向Ｄに沿って延びる棒状である。放電灯９０の一方の端部
を第１端部９０ｅ１とし、放電灯９０の他方の端部を第２端部９０ｅ２とする。放電灯９
０の材料は、例えば、石英ガラス等の透光性材料である。放電灯９０の中央部は球状に膨
らんでおり、その内部は放電空間９１である。放電空間９１には、希ガス、金属ハロゲン
化合物等を含む放電媒体であるガスが封入されている。
【００３９】
放電空間９１には、第１電極９２及び第２電極９３の先端が突出している。第１電極９
２は、放電空間９１の第１端部９０ｅ１側に配置されている。第２電極９３は、放電空間
９１の第２端部９０ｅ２側に配置されている。第１電極９２及び第２電極９３の形状は、
照明光軸Ａに沿って延びる棒状である。放電空間９１には、第１電極９２及び第２電極９
３の電極先端部が、所定距離だけ離れて対向するように配置されている。第１電極９２及
び第２電極９３の材料は、例えば、タングステン等の金属である。
【００４０】
放電灯９０の第１端部９０ｅ１に、第１端子５３６が設けられている。第１端子５３６
と第１電極９２とは、放電灯９０の内部を貫通する導電性部材５３４により電気的に接続
されている。同様に、放電灯９０の第２端部９０ｅ２に、第２端子５４６が設けられてい
る。第２端子５４６と第２電極９３とは、放電灯９０の内部を貫通する導電性部材５４４
により電気的に接続されている。第１端子５３６及び第２端子５４６の材料は、例えば、
タングステン等の金属である。導電性部材５３４，５４４の材料としては、例えば、モリ
ブデン箔が利用される。
【００４１】
第１端子５３６及び第２端子５４６は、放電灯点灯装置１０に接続されている。放電灯
点灯装置１０は、第１端子５３６及び第２端子５４６に、放電灯９０を駆動するための駆
動電流を供給する。言い換えると、放電灯点灯装置１０は、放電灯９０の第１電極９２と
第２電極９３との間に駆動電力を印加する。その結果、第１電極９２及び第２電極９３の
間でアーク放電が起きる。アーク放電により発生した光（放電光）は、破線の矢印で示す
ように、放電位置から全方向に向かって放射される。放電灯点灯装置１０は、光学制御装
置２００ａによって制御される。
【００４２】
図３は、放電灯９０を示す拡大断面図である。
第１電極９２は、図３に示すように、芯棒６１２と、コイル部６１４と、本体部６１６
と、突起６１８と、を備えている。第１電極９２は、放電灯本体５１０への封入前の段階
において、芯棒６１２に電極材（タングステン等）の線材を巻き付けてコイル部６１４を
形成し、形成されたコイル部６１４を加熱・溶融することにより形成される。これにより
、第１電極９２の先端側には、熱容量が大きい本体部６１６と、アークＡＲの発生位置と
なる突起６１８が形成される。
【００４３】
第２電極９３は、芯棒７１２と、コイル部７１４と、本体部７１６と、突起７１８と、
を備えている。第２電極９３は、第１電極９２と同様にして形成される。
【００４４】
放電灯９０を点灯すると、放電空間９１内に封入されたガスは、アークＡＲの発生によ
り加熱され、放電空間９１内において対流する。詳細には、アークＡＲ及びその付近領域
は極めて高温となるため、放電空間９１内において、アークＡＲから鉛直方向上側に流れ
る対流ＡＦ（図３に１点鎖線の矢印で示す）が形成される。図３に示すように、この対流
ＡＦは、放電灯本体５１０の内壁に当たって放電灯本体５１０の内壁に沿って移動し、第
１電極９２及び第２電極９３の芯棒６１２，７１２等を通過することによって冷却されつ
つ降下する。
降下した対流ＡＦは、放電灯本体５１０の内壁に沿って更に降下するが、アークＡＲの
鉛直方向下側で互いに衝突して上方のアークＡＲに戻されるように上昇する。
【００４５】
対流ＡＦが、放電灯本体５１０の内壁を沿って移動することによって、放電灯本体５１
０は加熱される。ここで、対流ＡＦは、アークＡＲの鉛直方向上側において最も温度が高
く、アークＡＲの鉛直方向下側において最も温度が低い。そのため、アークＡＲの鉛直方
向上側において対流ＡＦと接触する放電灯本体５１０の頂部５１０ａが、放電灯本体５１
０（放電灯９０）において最も高温となる最熱部となる。また、アークＡＲの鉛直方向下
側において対流ＡＦと接触する放電灯本体５１０の底部５１０ｂが、放電灯本体５１０（
放電灯９０）において最も低温となる最冷部となる。
【００４６】
主反射鏡５５は、図２に示すように、固定部材１１４により、放電灯９０の第１端部９
０ｅ１に固定されている。主反射鏡５５は、放電光のうち、照射方向Ｄと反対側に向かっ
て進む光を照射方向Ｄに向かって反射する。主反射鏡５５の反射面（放電灯９０側の面）
の形状は、放電光を照射方向Ｄに向かって反射できる範囲内において、特に限定されず、
例えば、回転楕円形状であっても、回転放物線形状であってもよい。例えば、主反射鏡５
５の反射面の形状を回転放物線形状とした場合、主反射鏡５５は、放電光を照明光軸Ａに
略平行な光に変換することができる。これにより、平行化凹レンズ５６を省略することが
できる。
【００４７】
副反射鏡５２は、固定部材５２２により、放電灯９０の第２端部９０ｅ２側に固定され
ている。副反射鏡５２の反射面（放電灯９０側の面）の形状は、放電空間９１の第２端部
９０ｅ２側の部分を囲む球面形状である。副反射鏡５２は、放電光のうち、主反射鏡５５
が配置された側と反対側に向かって進む光を主反射鏡５５に向かって反射する。これによ
り、放電空間９１から放射される光の利用効率を高めることができる。
【００４８】
固定部材１１４，５２２の材料は、放電灯９０からの発熱に耐え得る耐熱材料である範
囲内において、特に限定されず、例えば、無機接着剤である。主反射鏡５５及び副反射鏡
５２と放電灯９０との配置を固定する方法としては、主反射鏡５５及び副反射鏡５２を放
電灯９０に固定する方法に限らず、任意の方法を採用できる。例えば、放電灯９０と主反
射鏡５５とを、独立にハウジング５７に固定してもよい。副反射鏡５２についても同様で
ある。
【００４９】
ハウジング５７は、図１に示すように、光源ユニット５０及び平行化凹レンズ５６を収
納する。
平行化凹レンズ５６は、主反射鏡５５により収束される光束を、照明光軸Ａに対して平
行化する。
【００５０】
ファン制御装置２００ｂは、第２冷却装置ＣＵ２、すなわち、ファンＦ３，Ｆ４を制御
する。本実施形態においては、第２冷却装置ＣＵ２のうち、主としてファンＦ３を制御す
ることによって、放電灯９０の冷却状態を制御する方法について説明する。また、本実施
形態において、ファンＦ３を制御する方法としては、ファンＦ３を駆動するために印加さ
れるファン電圧Ｖｆを制御することによって、ファンＦ３の回転数（冷却風の流量）を変
化させる方法を用いる。この方法によれば、ファン電圧ＶｆはファンＦ３の回転数とほぼ
比例するため、ファンＦ３の回転数を制御することが容易である。
ファン制御装置２００ｂは、定常出力モード（第１出力駆動）と、高出力モード（第２
出力駆動）と、を実行可能である。詳細については後述する。
【００５１】
本実施形態においては、光学制御装置２００ａと、ファン制御装置２００ｂと、で制御
ユニット２００を構成している。
【００５２】
照明光学装置４１は、一対のレンズアレイ４１１，４１２と、偏光変換素子４１３と、
重畳レンズ４１４と、を備える。
色分離光学装置４２は、ダイクロイックミラー４２１，４２２と、反射ミラー４２３と
、を備える。
リレー光学装置４３は、入射側レンズ４３１と、リレーレンズ４３３と、反射ミラー４
３２，４３４と、を備える。
【００５３】
電気光学装置４４は、フィールドレンズ４４１と、光変調装置としての液晶パネル（光
変調素子）４４２と、入射側偏光板４４３と、視野角補償板４４４と、射出側偏光板４４
５と、色合成光学装置としてのクロスダイクロイックプリズム４４６と、を備える。
液晶パネル４４２は、赤色光用の液晶パネル４４２Ｒと、緑色光用の液晶パネル４４２
Ｇと、青色光用の液晶パネル４４２Ｂと、を備える。フィールドレンズ４４１、入射側偏
光板４４３、視野角補償板４４４及び射出側偏光板４４５は、液晶パネル４４２Ｒ，４４
２Ｇ，４４２Ｂ毎にそれぞれ設けられている。
【００５４】
投射光学装置４５は、電気光学装置４４で変調された光束を拡大投射する。この投射光
学装置４５は、図示を省略するが、筒状の鏡筒内に複数のレンズが収納された組レンズと
して構成されている。
【００５５】
光源装置５から射出された光束は、照明光学装置４１により、照明領域内の照度が略均
一化され、光束は、色分離光学装置４２により、赤（Ｒ），緑（Ｇ），青（Ｂ）の３つの
色光に分離される。分離された各色光は、各液晶パネル４４２にて画像情報に応じてそれ
ぞれ変調される。そして、変調された各色光は、クロスダイクロイックプリズム４４６に
て合成され、投射光学装置４５により投射面（例えば、スクリーン等）上に拡大投射され
る。
【００５６】
次に、本実施形態の制御ユニット２００による制御方法について説明する。
図４（Ａ）〜（Ｃ）は、放電灯９０に供給される駆動電力Ｗを、相対的に高い駆動電力
から相対的に低い駆動電力へと変化させる場合における本実施形態の制御ユニット２００
によるプロジェクター１Ａの制御方法について示すグラフである。図４（Ａ）は、本実施
形態の駆動電力Ｗの波形を示すグラフである。図４（Ｂ）は、本実施形態のファン電圧Ｖ
ｆの波形を示すグラフである。図４（Ｃ）は、本実施形態の放電灯温度Ｔの変化を示すグ
ラフである。図４（Ａ）において、縦軸は駆動電力Ｗを示している。図４（Ｂ）において
、縦軸はファン電圧Ｖｆを示している。図４（Ｃ）において、縦軸は放電灯温度Ｔを示し
ている。図４（Ａ）〜（Ｃ）において、横軸はそれぞれ時間（ｔｉｍｅ）を示している。
【００５７】
本実施形態において制御ユニット２００の光学制御装置２００ａは、図４（Ａ）に示す
ように、定常点灯期間（第１駆動期間）ＰＨ１と、移行期間ＰＨ２と、低電力期間（第２
駆動期間）ＰＨ３と、が設けられるように、放電灯点灯装置１０を制御する。言い換える
と、放電灯点灯装置１０は、定常点灯期間ＰＨ１と、移行期間ＰＨ２と、低電力期間ＰＨ
３と、が設けられるように、放電灯９０に駆動電力Ｗを供給する。
【００５８】
定常点灯期間ＰＨ１は、定常点灯モードが実行される期間である。定常点灯モードは、
定常点灯電力（第１駆動電力）Ｗｓが放電灯９０に供給される点灯モードである。定常点
灯期間ＰＨ１においては、駆動電力Ｗは、定常点灯電力Ｗｓに一定に保持される。
【００５９】
低電力期間ＰＨ３は、例えば、本実施形態においては、スタンバイモードが実行される
期間である。スタンバイモードは、スタンバイ電力（第２駆動電力）Ｗｐが放電灯９０に
供給される点灯モードである。スタンバイモードは、例えば、プロジェクター１Ａに一定
時間、映像信号が入力されない場合に実行される。低電力期間ＰＨ３においては、駆動電
力Ｗは、スタンバイ電力Ｗｐに一定に保持される。
【００６０】
移行期間ＰＨ２は、定常点灯期間ＰＨ１から低電力期間ＰＨ３へと移行する期間である
。本実施形態において、移行期間ＰＨ２は、時刻ｔｓから時刻ｔｅまで設けられている。
移行期間ＰＨ２において駆動電力Ｗは、図４（Ａ）に示す例では、定常点灯電力Ｗｓから
スタンバイ電力Ｗｐへと線形に変化する。
【００６１】
一例として、定常点灯期間ＰＨ１における定常点灯電力Ｗｓは、２８０Ｗであり、低電
力期間ＰＨ３におけるスタンバイ電力Ｗｐは、７０Ｗである。また、例えば、移行期間Ｐ
Ｈ２においては、駆動電力Ｗが８Ｗ／ｓで低下するように設定される。
【００６２】
本実施形態において制御ユニット２００のファン制御装置２００ｂは、図４（Ｂ）に示
すように、ファンＦ３にファン電圧Ｖｆを印加する。ファン制御装置２００ｂは、前述し
たように、定常出力モード（第１出力駆動）と、高出力モード（第２出力駆動）と、を実
行可能である。
【００６３】
定常出力モードは、定常ファン電圧（第１出力）がファンＦ３に印加されるファンＦ３
の出力モードである。定常ファン電圧は、放電灯温度Ｔを適正温度に維持するために設定
されるファン電圧Ｖｆであり、駆動電力Ｗに比例するように設定される。すなわち、定常
出力モードが実行される場合には、駆動電力Ｗの波形と、ファン電圧Ｖｆの波形とは、似
たような形状となる。
【００６４】
なお、本明細書において、ファン電圧Ｖｆが駆動電力Ｗに比例するとは、ファン電圧Ｖ
ｆが厳密に駆動電力Ｗに比例する場合のみを意味するものではなく、例えば、０．９倍以
上、１．１倍以下程度の誤差は許容されるものとする。
【００６５】
高出力モードは、駆動電力Ｗに対して定常ファン電圧（第１出力）よりも大きいファン
電圧（第２出力）がファンＦ３に印加されるファンＦ３の出力モードである。すなわち、
本実施形態において第２出力は、駆動電力Ｗで放電灯９０が駆動される際に、放電灯温度
Ｔを適正温度よりも低下させるファン電圧である。
【００６６】
本実施形態において、定常出力モードは、定常点灯期間ＰＨ１及び低電力期間ＰＨ３に
おいて実行される。すなわち、定常出力モードにおいて、定常点灯電力（第１駆動電力）
Ｗｓが放電灯９０に供給される定常点灯期間ＰＨ１における定常ファン電圧は、Ｖｆｓで
あり、スタンバイ電力（第２駆動電力）Ｗｐが放電灯９０に供給される低電力期間ＰＨ３
における定常ファン電圧は、Ｖｆｐである。
【００６７】
また、本実施形態においては、移行期間ＰＨ２全体に亘って定常出力モードは実行され
ないが、仮に実行されたとすると、移行期間ＰＨ２におけるファン電圧Ｖｆは、図４（Ｂ
）において２点鎖線で示すように、移行期間ＰＨ２における駆動電力Ｗの線形変化に応じ
て、線形に変化する。
【００６８】
本実施形態において、高出力モードは、移行期間ＰＨ２の全体において実行される。高
出力モードにおけるファン電圧Ｖｆ（第２出力）は、移行期間ＰＨ２において、２点鎖線
で示す定常出力モードにおける定常ファン電圧（第１出力）よりも大きいファン電圧とし
て、定常点灯期間ＰＨ１における定常ファン電圧ＶｆｓがファンＦ３に印加される。言い
換えると、本実施形態における移行期間ＰＨ２のファン電圧Ｖｆは、定常点灯期間ＰＨ１
における定常ファン電圧Ｖｆｓと等しい。本実施形態において、移行期間ＰＨ２において
ファンＦ３に印加されるファン電圧Ｖｆは一定である。
【００６９】
上述したようにしてファン制御装置２００ｂによってファンＦ３が制御されると、放電
灯温度Ｔは、図４（Ｃ）に示すように変化する。
ここで、本明細書において「放電灯温度」とは、放電灯本体５１０の温度を意味するも
のであり、放電灯本体５１０の少なくとも一部の温度であってもよいし、放電灯本体５１
０の一部、もしくは全体の平均温度であってもよい。本実施形態においては、放電灯温度
Ｔは、例えば、放電灯本体５１０の内壁の平均温度である。
【００７０】
本実施形態においては、駆動電力Ｗに応じて、放電灯温度Ｔが一定となるようにファン
電圧Ｖｆが制御されている。すなわち、駆動電力Ｗが定常点灯電力Ｗｓとなる定常点灯期
間ＰＨ１においては、放電灯温度Ｔは、定常温度Ｔｓとなるようにファン電圧Ｖｆが制御
され、駆動電力Ｗがスタンバイ電力Ｗｐとなる低電力期間ＰＨ３においては、放電灯温度
Ｔはスタンバイ温度Ｔｐとなるようにファン電圧Ｖｆが制御される。定常温度Ｔｓは、定
常点灯期間ＰＨ１において定常出力モードが実行されている際に保持される放電灯温度Ｔ
（適正温度）であり、スタンバイ温度Ｔｐは、低電力期間ＰＨ３において定常出力モード
が実行されている際に保持される放電灯温度Ｔ（適正温度）である。
【００７１】
定常点灯期間ＰＨ１から移行期間ＰＨ２に移行すると、放電灯温度Ｔは、急激に低下し
、移行期間ＰＨ２から低電力期間ＰＨ３へと移行する時刻ｔｅにおいて、スタンバイ温度
Ｔｐよりも低い温度Ｔｃ１となる。そして、低電力期間ＰＨ３において、放電灯温度Ｔは
、スタンバイ温度Ｔｐに向けて上昇し、スタンバイ温度Ｔｐとなった後は一定に保持され
る。
【００７２】
温度Ｔｃ１は、本実施形態においては、水銀の凝縮温度以下である。なお、水銀の凝縮
温度とは、水銀が凝縮をし始める温度であり、放電灯本体５１０に封入された水銀の量や
、圧力、物性に応じて決まる温度である。水銀の凝縮温度は、例えば、６５０℃程度であ
る。
【００７３】
なお、移行期間ＰＨ２全体に亘って高出力モードが実行されない場合、すなわち、図４
（Ｂ）において２点鎖線で示すように、移行期間ＰＨ２において定常出力モードが実行さ
れる場合においては、移行期間ＰＨ２における放電灯温度Ｔは、図４（Ｃ）に示す２点鎖
線のように変化する。すなわち、放電灯温度Ｔは、定常温度Ｔｓからスタンバイ温度Ｔｐ
に向けて低下する。このとき、移行期間ＰＨ２から低電力期間ＰＨ３に移行する時刻ｔｅ
において、放電灯温度Ｔがスタンバイ温度Ｔｐまで低下しない場合がある。この場合、放
電灯温度Ｔは、低電力期間ＰＨ３のある時点において、スタンバイ温度Ｔｐとなる。
【００７４】
本実施形態によれば、移行期間ＰＨ２において、高出力モードが実行されるため、第１
電極９２及び第２電極９３に水銀が凝縮して付着することが抑制される。以下、詳細に説
明する。
【００７５】
放電灯９０に比較的低い電力が供給されるスタンバイモードのような低電力モードにお
いては、第１電極９２及び第２電極９３の温度に対する放電灯本体５１０の内壁の温度（
放電灯温度Ｔ）が、定常点灯モード時に比べて相対的に低い。そのため、スタンバイモー
ドからプロジェクター１Ａを消灯した際に、第１電極９２及び第２電極９３の温度と放電
灯本体５１０の内壁の温度とが同程度に低下し、放電灯本体５１０内に封入された水銀が
凝縮して、第１電極９２及び第２電極９３と内壁とに付着する場合があった。
【００７６】
図１３は、プロジェクター１Ａの消灯後において、放電灯本体５１０の内壁と、第１電
極９２及び第２電極９３と、に凝縮した水銀Ｈｇが付着した状態を示す図である。図１３
においては、第１電極９２及び第２電極９３に付着した水銀Ｈｇが第１電極９２と第２電
極９３とを接続している。すなわち、いわゆる、水銀ブリッジが生じている。このような
状態においては、第１電極９２と第２電極９３との間が短絡し、放電灯９０を点灯できな
いという問題があった。
【００７７】
この問題に対して、本実施形態によれば、移行期間ＰＨ２において高出力モードが実行
される。これにより、移行期間ＰＨ２において放電灯温度Ｔが温度Ｔｃ１に低下するため
、放電灯本体５１０の内壁において水銀Ｈｇが凝縮して付着しやすくなる。その結果、点
灯時において放電灯本体５１０の内壁に凝縮する水銀Ｈｇの量が多くなる一方で、プロジ
ェクター１Ａを消灯した後に凝縮する水銀Ｈｇの量は少なくなる。したがって、本実施形
態によれば、プロジェクター１Ａが消灯した後において、水銀Ｈｇが第１電極９２及び第
２電極９３に付着することを抑制できる。
【００７８】
また、長時間、スタンバイモードが実行される場合においては、放電灯温度Ｔが比較的
低いスタンバイ温度Ｔｐに維持される時間が長いため、放電灯本体５１０の内壁に凝縮し
て付着する水銀Ｈｇの量が増加する。これにより、プロジェクター１Ａが消灯された後に
、第１電極９２及び第２電極９３に水銀Ｈｇが付着することが、多少抑制される。
【００７９】
しかし、スタンバイモードに移行した直後にプロジェクター１Ａが消灯される場合では
、スタンバイモードにおいて放電灯本体５１０の内壁に付着する水銀Ｈｇの量が少ないた
め、プロジェクター１Ａが消灯した後に、第１電極９２及び第２電極９３に水銀Ｈｇが凝
縮して付着するリスクが高くなる。
【００８０】
また、例えば、図４（Ｃ）において２点鎖線で示したように、放電灯温度Ｔがスタンバ
イ温度Ｔｐに低下する前にプロジェクター１Ａが消灯される場合においては、第１電極９
２及び第２電極９３の温度に対する放電灯本体５１０の内壁の温度（放電灯温度Ｔ）が、
相対的により低くなるため、放電灯本体５１０の内壁よりも第１電極９２及び第２電極９
３に水銀Ｈｇが付着しやすくなる虞があった。
【００８１】
この問題に対して、本実施形態によれば、移行期間ＰＨ２において放電灯温度Ｔが温度
Ｔｃ１まで低下するため、スタンバイモード、すなわち、低電力期間ＰＨ３に移行した直
後にプロジェクター１Ａが消灯された場合であっても、第１電極９２及び第２電極９３に
水銀Ｈｇが凝縮して付着することを抑制できる。
【００８２】
また、スタンバイモードに移行した直後においては、図４（Ｃ）に示すように、放電灯
温度Ｔは、スタンバイ温度Ｔｐよりも低いため、プロジェクター１Ａが消灯された後に、
放電灯本体５１０の内壁の温度が、第１電極９２及び第２電極９３の温度よりも低くなり
やすく、第１電極９２及び第２電極９３に水銀Ｈｇが凝縮することをより抑制できる。
【００８３】
また、例えば、プロジェクター１Ａに消灯命令が入力された後に、駆動電力Ｗを調整す
る等によって、プロジェクター１Ａの消灯後に水銀Ｈｇが凝縮して第１電極９２及び第２
電極９３に付着することを抑制する方法も考えられる。
しかし、例えば、プロジェクター１Ａに電源を供給する外部電源が直接遮断される等の
通常の手段によらない方法でプロジェクター１Ａが消灯された場合においては、上記のよ
うな方法を採用することができない。
【００８４】
これに対して、本実施形態によれば、移行期間ＰＨ２において水銀Ｈｇの凝縮を促進で
きるため、プロジェクター１Ａの消灯方法によらず、プロジェクター１Ａの消灯後に第１
電極９２及び第２電極９３に水銀Ｈｇが凝縮して付着することを抑制できる。
【００８５】
なお、プロジェクター１Ａに電源を供給する外部電源が直接遮断される場合としては、
例えば、天吊り型のプロジェクターのように直接プロジェクターの電源ボタンを押すこと
が困難な際に、壁等に設置される電源スイッチを切ることで、プロジェクターを消灯する
場合が考えられる。すなわち、本実施形態によれば、本実施形態のプロジェクター１Ａを
天吊り型のプロジェクターに適用し、外部電源を直接遮断する消灯方法を採用した場合で
あっても、消灯後に第１電極９２及び第２電極９３に水銀Ｈｇが凝縮して付着することを
抑制できる。
【００８６】
また、上記のような直接電源が遮断するような場合における対処方法として、キャパシ
ター等を備えることで、電源が遮断された後においてもファンＦ３を回転させ、放電灯９
０を冷却する方法も考えられるが、この場合にはコストが増加するため好ましくない。
【００８７】
また、本実施形態によれば、移行期間ＰＨ２において低下する温度Ｔｃ１が、低電力期
間ＰＨ３において定常出力モードが実行される場合に保持される放電灯温度Ｔ、すなわち
、スタンバイ温度Ｔｐよりも低くなるように高出力モードが実行される。そのため、本実
施形態によれば、移行期間ＰＨ２において水銀が凝縮しやすく、結果として、プロジェク
ター１Ａが消灯した後に、第１電極９２及び第２電極９３に水銀Ｈｇが凝縮して付着する
ことを抑制できる。
【００８８】
また、本実施形態によれば、移行期間ＰＨ２において低下する温度Ｔｃ１が水銀Ｈｇの
凝縮温度以下となるようにファン電圧Ｖｆが制御される。そのため、本実施形態によれば
、移行期間ＰＨ２において水銀Ｈｇがより凝縮しやすく、結果として、プロジェクター１
Ａが消灯した後に、第１電極９２及び第２電極９３に水銀Ｈｇが凝縮して付着することを
より抑制できる。
【００８９】
なお、放電灯温度Ｔが低下すると、プロジェクター１Ａによって投影される映像の輝度
が低下する場合がある。そのため、例えば、低電力期間ＰＨ３の駆動電力Ｗが比較的高い
場合においては、移行期間ＰＨ２における放電灯温度Ｔを水銀Ｈｇの凝縮温度まで低下さ
せない方が好ましい場合もある。
一方、本実施形態のように、低電力期間ＰＨ３が映像信号の入力されないスタンバイモ
ードであるような場合には、移行期間ＰＨ２において放電灯温度Ｔを水銀Ｈｇの凝縮温度
以下に低下させることがより好ましい。
【００９０】
また、本実施形態によれば、移行期間ＰＨ２における高出力モードのファン電圧Ｖｆが
、定常点灯期間ＰＨ１における定常出力モードの定常ファン電圧Ｖｆｓと等しいため、定
常点灯期間ＰＨ１と移行期間ＰＨ２とで、ファン電圧Ｖｆを一定とできるため、制御が簡
便である。
【００９１】
なお、本実施形態においては、以下の構成を採用することもできる。
【００９２】
上記説明においては、移行期間ＰＨ２におけるファン電圧Ｖｆを、定常点灯期間ＰＨ１
における定常ファン電圧Ｖｆｓに設定する例について示したが、これに限られない。本実
施形態においては、移行期間ＰＨ２におけるファン電圧Ｖｆは、移行期間ＰＨ２での定常
出力モードにおける定常ファン電圧（図４（Ｂ）の２点鎖線参照）より大きく設定される
範囲内において、特に限定されず、例えば、図５及び図６に示すように設定されてもよい
。
【００９３】
図５及び図６は、本実施形態におけるファン電圧Ｖｆの波形の他の一例を示すグラフで
ある。
本実施形態においては、図５に示すように、移行期間ＰＨ２において、ファン電圧Ｖｆ
を、定常点灯期間ＰＨ１における定常出力モードでの定常ファン電圧Ｖｆｓよりも大きい
ファン電圧Ｖｆｃ１に設定してもよい。
【００９４】
この構成によれば、移行期間ＰＨ２において放電灯温度Ｔがより低下するため、移行期
間ＰＨ２において、放電灯本体５１０の内壁に凝縮して付着する水銀Ｈｇの量が増加する
。その結果、この構成によれば、プロジェクター１Ａの消灯後において第１電極９２及び
第２電極９３に水銀Ｈｇが付着することを抑制できる。
【００９５】
また、本実施形態においては、図６に示すように、移行期間ＰＨ２において、ファン電
圧Ｖｆが線形に変化するように設定してもよい。図６に示す例では、移行期間ＰＨ２にお
いて、ファン電圧Ｖｆは、定常点灯期間ＰＨ１における定常出力モードでの定常ファン電
圧Ｖｆｓからファン電圧Ｖｆｃ２まで線形に変化する。ファン電圧Ｖｆｃ２は、定常点灯
期間ＰＨ１における定常ファン電圧Ｖｆｓより小さく、低電力期間ＰＨ３の定常出力モー
ドにおける定常ファン電圧Ｖｆｐより大きい。そのため、移行期間ＰＨ２におけるファン
電圧Ｖｆは、移行期間ＰＨ２の全体で、２点鎖線で示す定常出力モードにおける定常ファ
ン電圧よりも大きく設定される。
【００９６】
この構成によれば、移行期間ＰＨ２における放電灯９０の冷却状態を調整しやすい。
また、この構成によれば、ファン電圧Ｖｆが徐々に変化するため、ファンＦ３の騒音も
徐々に変化する。これにより、使用者にファンＦ３の騒音の変化が認識されにくい。
【００９７】
また、上記説明においては、移行期間ＰＨ２には、駆動電力Ｗが線形に変化する場合に
ついて示したが、これに限られない。本実施形態においては、図７に示すように、移行期
間ＰＨ２において、駆動電力Ｗが段階的に変化する構成としてもよい。図７に示す例では
、移行期間ＰＨ２に移行した時刻ｔｓにおいて駆動電力Ｗが、定常点灯電力Ｗｓから駆動
電力Ｗｃ２に低下し、時刻ｔｗ１まで保持される。そして、駆動電力Ｗは、時刻ｔｗ１に
おいて駆動電力Ｗｃ２から駆動電力Ｗｃ１に低下し、時刻ｔｅまで保持された後、時刻ｔ
ｅでスタンバイ電力Ｗｐに低下する。
【００９８】
この構成においては、駆動電力Ｗが変化する段階の数は、特に限定されず、何段階設け
られていてもよい。
【００９９】
また、本実施形態においては、移行期間ＰＨ２において、駆動電力Ｗが定常点灯電力Ｗ
ｓからスタンバイ電力Ｗｐまで急激に変化する構成としてもよい。
【０１００】
また、本実施形態においては、低電力期間ＰＨ３における駆動電力Ｗ（スタンバイ電力
Ｗｐ）に基づいて、移行期間ＰＨ２におけるファン電圧Ｖｆの値を設定してもよい。例え
ば、低電力期間ＰＨ３における駆動電力Ｗが小さいほど、移行期間ＰＨ２におけるファン
電圧Ｖｆの値を大きく設定してもよい。低電力期間ＰＨ３における駆動電力Ｗが小さいほ
ど、プロジェクター１Ａを消灯した際に、第１電極９２及び第２電極９３に水銀Ｈｇが付
着しやくなるため、移行期間ＰＨ２におけるファン電圧Ｖｆの値を大きく設定することで
、より確実に移行期間ＰＨ２において第１電極９２及び第２電極９３に水銀Ｈｇが付着す
ることを抑制できる。
【０１０１】
また、本実施形態においては、定常点灯期間ＰＨ１における定常点灯電力Ｗｓと、低電
力期間ＰＨ３における駆動電力Ｗ（スタンバイ電力Ｗｐ）との差に基づいて、移行期間Ｐ
Ｈ２におけるファン電圧Ｖｆの値を設定してもよい。例えば、定常点灯期間ＰＨ１におけ
る定常点灯電力Ｗｓと、低電力期間ＰＨ３における駆動電力Ｗ（スタンバイ電力Ｗｐ）と
の差が大きいほど、移行期間ＰＨ２において放電灯温度Ｔがスタンバイ温度Ｔｐまで低下
しにくい。そのため、移行期間ＰＨ２におけるファン電圧Ｖｆの値は大きく設定すること
が好ましい。
【０１０２】
また、この場合において、放電灯温度Ｔが低下し過ぎることを抑制するために、定常点
灯期間ＰＨ１における定常点灯電力Ｗｓと、低電力期間ＰＨ３における駆動電力Ｗ（スタ
ンバイ電力Ｗｐ）との差に基づいて設定されたファン電圧ＶｆでファンＦ３を駆動する期
間の長さを適宜設定してもよい。すなわち、例えば、移行期間ＰＨ２の初めの一定期間に
おいては、ファン電圧Ｖｆを、定常点灯期間ＰＨ１における定常出力モードの定常ファン
電圧Ｖｆｓに設定し、その後の低電力期間ＰＨ３までの期間においては、ファン電圧Ｖｆ
を、定常点灯期間ＰＨ１における定常点灯電力Ｗｓと、低電力期間ＰＨ３における駆動電
力Ｗ（スタンバイ電力Ｗｐ）との差に基づいて設定されたファン電圧Ｖｆに設定する構成
としてもよい。
【０１０３】
また、本実施形態においては、プロジェクター１Ａの周囲の温度に基づいて、移行期間
ＰＨ２における高出力モードでのファン電圧Ｖｆの値を設定してもよい。例えば、プロジ
ェクター１Ａの周囲の温度が高いほど、放電灯本体５１０の内壁の温度（放電灯温度Ｔ）
は低下しにくいため、移行期間ＰＨ２においてファン電圧Ｖｆの値を大きくすることが好
ましい。
【０１０４】
また、例えば、プロジェクター１Ａの周囲の温度が低いほど、放電灯本体５１０の内壁
の温度は低下しやすいため、高出力モードによって放電灯本体５１０が過度に冷却され、
ハロゲンサイクルが生じにくくなり、黒化が生じる場合や、放電灯本体５１０の封止部分
に歪みが生じる場合がある。そのため、プロジェクター１Ａの周囲の温度が低いほど、移
行期間ＰＨ２におけるファン電圧Ｖｆ、すなわち、高出力モードにおけるファン電圧Ｖｆ
の値は、小さく設定されることが好ましい。
【０１０５】
ここで、黒化は、アーク放電により蒸発した電極物質が放電灯本体５１０の内壁に付着
する現象であり、放電灯の寿命を縮める原因となる。黒化は、ハロゲンサイクルによって
抑制できることが知られている。
【０１０６】
また、ハロゲンサイクルとは、溶融し蒸発した電極物質と放電灯内部に封入されたハロ
ゲンガスとを反応させることで、電極物質をハロゲン化させ、蒸発した電極物質を放電灯
内の対流によって再び電極へと戻す、反応サイクルである。ハロゲン化された電極物質は
、融点が降下するため、発光管内壁において凝固することが抑制され、結果として黒化が
抑制される。ハロゲンサイクルは、放電灯が過度に冷却されると、生じにくくなる。
【０１０７】
また、上記説明においては、定常点灯期間ＰＨ１においては高出力モードが実行されな
い構成としたが、これに限られない。本実施形態においては、定常点灯期間ＰＨ１の一部
において高出力モードが実行されてもよい。例えば、定常点灯期間ＰＨ１において、低電
力期間ＰＨ３に移行する命令が入力されてから、実際に駆動電力Ｗが変化し始めるまでの
間、すなわち、移行期間ＰＨ２に移行するまでの間において高出力モードを実行してもよ
い。この場合においては、高出力モードが定常点灯期間ＰＨ１と移行期間ＰＨ２とにまた
がって実行される。
【０１０８】
この構成によれば、例えば、移行期間ＰＨ２が短い場合、すなわち、移行期間ＰＨ２に
おいて、駆動電力Ｗが定常点灯電力Ｗｓからスタンバイ電力Ｗｐまで急激に変化するよう
な場合であっても、低電力期間ＰＨ３に移行するまでの間に放電灯温度Ｔを適切に低下さ
せることが容易である。
【０１０９】
また、上記説明においては、低電力期間ＰＨ３をスタンバイモードが実行される期間と
したが、これに限られない。低電力期間ＰＨ３は、定常点灯期間ＰＨ１よりも駆動電力Ｗ
が小さい範囲内であれば、特に限定されない。
【０１１０】
また、本実施形態において放電灯温度Ｔは、放電灯本体５１０の内壁の一部、例えば、
頂部５１０ａの内壁や、底部５１０ｂの内壁の温度であってもよい。
【０１１１】
（第２実施形態）
第２実施形態は、第１実施形態に対して、低電力期間ＰＨ３に冷却期間ＰＨ３１が設け
られている点において異なる。
なお、以下の説明においては、上記実施形態と同様の構成については、適宜同一の符号
を付す等により、説明を省略する場合がある。
【０１１２】
図８（Ａ）〜（Ｃ）は、放電灯９０に供給される駆動電力Ｗを、相対的に高い駆動電力
から相対的に低い駆動電力へと変化させる場合における本実施形態の制御ユニット２００
によるプロジェクター１Ａの制御方法について示すグラフである。図８（Ａ）は、本実施
形態の駆動電力Ｗの波形を示すグラフである。図８（Ｂ）は、本実施形態のファン電圧Ｖ
ｆの波形を示すグラフである。図８（Ｃ）は、本実施形態の放電灯温度Ｔの変化を示すグ
ラフである。図８（Ａ）において、縦軸は駆動電力Ｗを示している。図８（Ｂ）において
、縦軸はファン電圧Ｖｆを示している。図８（Ｃ）において、縦軸は放電灯温度Ｔを示し
ている。図８（Ａ）〜（Ｃ）において、横軸はそれぞれ時間（ｔｉｍｅ）を示している。
【０１１３】
本実施形態において制御ユニット２００の光学制御装置２００ａは、図８（Ａ）に示す
ように、第１実施形態と同様に、定常点灯期間ＰＨ１と、移行期間ＰＨ２と、低電力期間
ＰＨ３と、が設けられるように、放電灯点灯装置１０を制御する。
本実施形態の駆動電力Ｗの波形は、図４（Ａ）において示した第１実施形態の駆動電力
Ｗの波形と同様である。
【０１１４】
本実施形態におけるファン電圧Ｖｆの波形は、図８（Ｂ）に示すように、第１実施形態
に対して、低電力期間ＰＨ３において高出力モードが実行される冷却期間ＰＨ３１が設け
られている点において異なる。すなわち、本実施形態において高出力モードは、移行期間
ＰＨ２と低電力期間ＰＨ３とにまたがって実行される。図８（Ｂ）の例では、冷却期間Ｐ
Ｈ３１は、時刻ｔｅから時刻ｔｃまでの期間である。また、移行期間ＰＨ２及び冷却期間
ＰＨ３１において、高出力モードでのファン電圧Ｖｆは、定常点灯期間ＰＨ１における定
常出力モードでの定常ファン電圧Ｖｆｓと等しい値に保持される。
【０１１５】
冷却期間ＰＨ３１の長さは、例えば、低電力期間ＰＨ３において実行される点灯モード
に応じて調整できる。具体的には、例えば、低電力期間ＰＨ３において実行される点灯モ
ードが、映像を映す点灯モードである場合には、冷却期間ＰＨ３１の長さは短く設定され
ることが好ましい。これは、放電灯９０の温度が低下すると、プロジェクター１Ａによっ
て投射される映像の輝度が低下するためである。
【０１１６】
放電灯温度Ｔは、図８（Ｃ）に示すように、時刻ｔｓから時刻ｔｅまでは、図４（Ｃ）
において示した第１実施形態と同様に変化する。本実施形態においては、時刻ｔｅから時
刻ｔｃの冷却期間ＰＨ３１においても高出力モードが実行されるため、冷却期間ＰＨ３１
において放電灯温度Ｔは、さらに低下し、温度Ｔｃ２となる。そして、高出力モードが終
了した後、すなわち、時刻ｔｃの後に、放電灯温度Ｔは上昇し、スタンバイ温度Ｔｐにな
る。
【０１１７】
本実施形態によれば、高出力モードによる冷却期間ＰＨ３１が設けられていることによ
り、冷却期間ＰＨ３１において放電灯温度Ｔがさらに低下し、水銀Ｈｇの凝縮がより促進
される。したがって、本実施形態によれば、プロジェクター１Ａが消灯した後において、
第１電極９２及び第２電極９３に水銀Ｈｇが凝縮して付着することをより抑制できる。
【０１１８】
なお、本実施形態においては、図９に示すように、高出力モードでのファン電圧Ｖｆが
、移行期間ＰＨ２と冷却期間ＰＨ３１とにおいて、線形に変化するような構成としてもよ
い。
図９は、本実施形態におけるファン電圧Ｖｆの波形の他の一例を示すグラフである。図
９においては、移行期間ＰＨ２と冷却期間ＰＨ３１とにおける定常出力モードでの定常フ
ァン電圧を２点鎖線で示している。
【０１１９】
この構成においては、図９に示すように、時刻ｔｓから時刻ｔｃまでの間で、高出力モ
ードにおけるファン電圧Ｖｆが、定常点灯期間ＰＨ１における定常出力モードでの定常フ
ァン電圧Ｖｆｓから、低電力期間ＰＨ３における定常出力モードでの定常ファン電圧Ｖｆ
ｐまで線形変化する。
この構成によれば、上述したのと同様に、放電灯９０の冷却状態を調整しやすく、また
、使用者にファンＦ３の騒音の変化が認識されにくい。
【０１２０】
（第３実施形態）
第３実施形態は、第１実施形態に対して、移行期間ＰＨ２において駆動電力Ｗがスタン
バイ電力Ｗｐよりも低い値に設定される期間が設けられる点において異なる。
なお、以下の説明においては、上記実施形態と同様の構成については、適宜同一の符号
を付す等により、説明を省略する場合がある。
【０１２１】
図１０（Ａ）〜（Ｃ）は、放電灯９０に供給される駆動電力Ｗを、相対的に高い駆動電
力から相対的に低い駆動電力へと変化させる場合における本実施形態の制御ユニット２０
０によるプロジェクター１Ａの制御方法について示すグラフである。図１０（Ａ）は、本
実施形態の駆動電力Ｗの波形を示すグラフである。図１０（Ｂ）は、本実施形態のファン
電圧Ｖｆの波形を示すグラフである。図１０（Ｃ）は、本実施形態の放電灯温度Ｔの変化
を示すグラフである。図１０（Ａ）において、縦軸は駆動電力Ｗを示している。図１０（
Ｂ）において、縦軸はファン電圧Ｖｆを示している。図１０（Ｃ）において、縦軸は放電
灯温度Ｔを示している。図１０（Ａ）〜（Ｃ）において、横軸はそれぞれ時間（ｔｉｍｅ
）を示している。
【０１２２】
本実施形態においては、図１０（Ａ）に示すように、移行期間ＰＨ２は、第１移行期間
ＰＨ２１と、第２移行期間ＰＨ２２と、第３移行期間ＰＨ２３と、を含む。
第１移行期間ＰＨ２１は、駆動電力Ｗが、定常点灯電力Ｗｓから、スタンバイ電力Ｗｐ
よりも小さい電力（第３駆動電力）Ｗｍへと変化する期間である。第１移行期間ＰＨ２１
は、時刻ｔｓから時刻ｔｗ２まで設けられている。図１０（Ａ）の例では、第１移行期間
ＰＨ２１においては、駆動電力Ｗは線形に変化する。
【０１２３】
第２移行期間ＰＨ２２は、駆動電力Ｗが、電力Ｗｍに保持される期間である。第２移行
期間ＰＨ２２は、時刻ｔｗ２から時刻ｔｗ３まで設けられている。放電灯９０にスタンバ
イ電力Ｗｐよりも小さい電力Ｗｍが供給される状態を持続し過ぎると、黒化や、放電が不
安定になる等の問題が生じる虞があるため、第２移行期間ＰＨ２２の長さは、放電灯本体
５１０を適切に冷却できる範囲内において、短く設定されることが好ましい。
【０１２４】
第３移行期間ＰＨ２３は、駆動電力Ｗが、電力Ｗｍから、スタンバイ電力Ｗｐまで変化
する期間である。第３移行期間ＰＨ２３は、時刻ｔｗ３から時刻ｔｅまで設けられている
。図１０（Ａ）に示す例では、第３移行期間ＰＨ２３においては、駆動電力Ｗは線形に変
化する。
【０１２５】
本実施形態においてファン電圧Ｖｆは、図１０（Ｂ）に示すように、第１実施形態と同
様に制御される。
本実施形態において放電灯温度Ｔは、図１０（Ｃ）に示すように、移行期間ＰＨ２にお
いて急激に低下し、定常温度Ｔｓから温度Ｔｃ３に変化する。そして、放電灯温度Ｔは、
低電力期間ＰＨ３に移行した後に上昇し、スタンバイ温度Ｔｐとなる。
【０１２６】
本実施形態によれば、スタンバイ電力Ｗｐよりも小さい電力Ｗｍが供給される第２移行
期間ＰＨ２２が設けられているため、移行期間ＰＨ２において急激に放電灯温度Ｔが低下
する。これにより、移行期間ＰＨ２において水銀Ｈｇの凝縮がより促進され、その結果と
して、プロジェクター１Ａが消灯した後において、第１電極９２及び第２電極９３に水銀
Ｈｇが凝縮して付着することをより抑制できる。
【０１２７】
なお、本実施形態においては、以下の構成を採用することもできる。
【０１２８】
本実施形態においては、第１移行期間ＰＨ２１及び第３移行期間ＰＨ２３において、駆
動電力Ｗが段階的に変化する構成としてもよい。
【０１２９】
また、上記説明においてファン電圧Ｖｆの変化は、図４（Ｂ）に示すファン電圧Ｖｆの
変化と同様としたが、これに限れない。本実施形態においては、ファン電圧Ｖｆが、図５
及び図６に示したように変化する構成としてもよい。
【０１３０】
また、本実施形態においては、第２実施形態と同様に、低電力期間ＰＨ３に冷却期間Ｐ
Ｈ３１が設けられる構成としてもよい。
【０１３１】
また、本実施形態においては、移行期間ＰＨ２及び冷却期間ＰＨ３１における高出力モ
ードのファン電圧Ｖｆは、低電力期間ＰＨ３の駆動電力Ｗ（スタンバイ電力Ｗｐ）の値に
基づいて設定されてもよい。
【０１３２】
（第４実施形態）
第４実施形態は、第１実施形態に対して、低電力期間ＰＨ３の駆動電力Ｗに基づいて、
移行期間ＰＨ２における高出力モードの実行時間が制御される点において異なる。
なお、以下の説明においては、上記実施形態と同様の構成については、適宜同一の符号
を付す等により、説明を省略する場合がある。
【０１３３】
図１１は、低電力期間ＰＨ３における駆動電力Ｗと、移行期間ＰＨ２における高出力モ
ードの実行時間Ｓｐと、の関係の一例を示すグラフである。図１１において、横軸は駆動
電力Ｗであり、縦軸は実行時間Ｓｐである。図１１に示す例では、低電力期間ＰＨ３にお
ける駆動電力Ｗが、Ｗｍ２以上で、かつ、Ｗｓより小さい範囲においては、実行時間Ｓｐ
は０に設定される。実行時間Ｓｐが０に設定されるとは、すなわち、移行期間ＰＨ２にお
いて高出力モードが実行されないことを意味する。
【０１３４】
低電力期間ＰＨ３における駆動電力Ｗが、Ｗｍ２より小さい範囲においては、高出力モ
ードが実行される。高出力モードの実行時間Ｓｐは、低電力期間ＰＨ３における駆動電力
Ｗに応じて決定される。具体的には、例えば、低電力期間ＰＨ３における駆動電力Ｗが、
Ｗｍ３，Ｗｍ４，Ｗｐである場合には、実行時間Ｓｐは、Ｓｐ１，Ｓｐ２，Ｓｐ３にそれ
ぞれ設定される。
本実施形態の移行期間ＰＨ２における駆動電力Ｗの変化は、第１実施形態と同様に、線
形に変化する。
【０１３５】
図１２は、本実施形態におけるファン電圧Ｖｆの波形の一例を示すグラフである。図１
２において、横軸は時間ｔｉｍｅを示しており、縦軸はファン電圧Ｖｆを示している。図
１２においては、低電力期間ＰＨ３の駆動電力Ｗが、Ｗｓ，Ｗｍ１，Ｗｍ２，Ｗｍ３，Ｗ
ｍ４，Ｗｐである場合におけるファン電圧Ｖｆの変化をそれぞれ示している。低電力期間
ＰＨ３における定常出力モードでの定常ファン電圧は、低電力期間ＰＨ３の駆動電力Ｗが
Ｗｓ，Ｗｍ１，Ｗｍ２，Ｗｍ３，Ｗｍ４，Ｗｐである場合に、それぞれ、Ｖｆｓ，Ｖｆｍ
１，Ｖｆｍ２，Ｖｆｍ３，Ｖｆｍ４，Ｖｆｐである。
【０１３６】
なお、低電力期間ＰＨ３における駆動電力Ｗが、定常点灯電力Ｗｓであるとは、すなわ
ち、定常点灯期間ＰＨ１から駆動電力Ｗが変化しない場合を意味する。この場合において
は、移行期間ＰＨ２が設けられず、ファン電圧Ｖｆも変化しない。
【０１３７】
図１２に示すように、低電力期間ＰＨ３における駆動電力Ｗが、Ｗｍ１，Ｗｍ２の場合
においては、高出力モードは実行されず、移行期間ＰＨ２におけるファン電圧Ｖｆは、定
常出力モードにおける定常ファン電圧に設定される。すなわち、本実施形態の移行期間Ｐ
Ｈ２においては、線形に変化する駆動電力Ｗに応じて、ファン電圧Ｖｆは線形に変化する
。
【０１３８】
低電力期間ＰＨ３における駆動電力ＷがＷｍ３，Ｗｍ４，Ｗｐの場合、移行期間ＰＨ２
においてそれぞれの駆動電力Ｗに応じて高出力モードが実行される。
低電力期間ＰＨ３における駆動電力Ｗが、電力Ｗｍ３の場合には、時刻ｔｓから時刻ｔ
ｍ１まで実行時間Ｓｐ１だけ高出力モードが実行される。すなわち、時刻ｔｓから時刻ｔ
ｍ１までの間においては、第２出力として、ファン電圧Ｖｆが定常点灯期間ＰＨ１におけ
る定常出力モードでの定常ファン電圧Ｖｆｓに設定される。一方、時刻ｔｍ１から時刻ｔ
ｅの間においては、ファン電圧Ｖｆは駆動電力Ｗの変化に応じて定常出力モードの定常フ
ァン電圧に設定される。そのため、ファン電圧Ｖｆは、時刻ｔｍ１から時刻ｔｅの間にお
いて、駆動電力Ｗに応じて線形に変化する。
【０１３９】
低電力期間ＰＨ３における駆動電力Ｗが電力Ｗｍ４の場合には、時刻ｔｓから時刻ｔｍ
２までの実行時間Ｓｐ２だけ高出力モードが実行される。すなわち、時刻ｔｓから時刻ｔ
ｍ２までの間においては、第２出力として、ファン電圧Ｖｆが定常点灯期間ＰＨ１におけ
る定常出力モードでの定常ファン電圧Ｖｆｓに設定される。一方、時刻ｔｍ２から時刻ｔ
ｅの間においては、ファン電圧Ｖｆは駆動電力Ｗの変化に応じて定常出力モードの定常フ
ァン電圧に設定される。そのため、ファン電圧Ｖｆは、時刻ｔｍ２から時刻ｔｅの間にお
いて、駆動電力Ｗに応じて線形に変化する。
【０１４０】
低電力期間ＰＨ３における駆動電力Ｗがスタンバイ電力Ｗｐの場合には、第１実施形態
と同様に、移行期間ＰＨ２の全体、すなわち、時刻ｔｓから時刻ｔｅまでの実行時間Ｓｐ
３において高出力モードが実行される。この場合においては、ファン電圧Ｖｆの波形は、
第１実施形態において図４（Ｂ）に示したファン電圧Ｖｆの波形と同様であり、移行期間
ＰＨ２における高出力モードでのファン電圧Ｖｆは、定常点灯期間ＰＨ１における定常出
力モードでのファン電圧値Ｖｆｓに保持される。
【０１４１】
本実施形態においてファン制御装置２００ｂは、図１１に示すような駆動電力Ｗと高出
力モードの実行時間Ｓｐとの関係を用いて、低電力期間ＰＨ３において設定される駆動電
力Ｗに基づいて、高出力モードの実行時間Ｓｐを設定する。
言い換えると、ファン制御装置２００ｂは、低電力期間ＰＨ３において設定される駆動
電力Ｗに基づいて、高出力モードの実行の有無を判断し、高出力モードを実行する場合に
は、低電力期間ＰＨ３において設定される駆動電力Ｗに基づいて高出力モードの実行時間
Ｓｐを設定する。
【０１４２】
本実施形態によれば、低電力期間ＰＨ３の駆動電力Ｗに応じて、適切に高出力モードを
実行することができる。以下、詳細に説明する。
【０１４３】
低電力期間ＰＨ３において設定される駆動電力Ｗが相対的に高い場合には、放電灯本体
５１０の内壁の温度に対する第１電極９２及び第２電極９３の温度が比較的高いため、こ
の状態においてプロジェクター１Ａが消灯された場合であっても、第１電極９２及び第２
電極９３より先に放電灯本体５１０の方が低温になりやすく、水銀Ｈｇの凝縮が放電灯本
体５１０の内壁で生じやすい。これにより、低電力期間ＰＨ３の駆動電力Ｗが相対的に高
い場合には、低電力期間ＰＨ３の駆動電力Ｗが相対的に低い場合に比べ、第１電極９２及
び第２電極９３に水銀Ｈｇが付着して短絡する可能性が低い。
【０１４４】
一方、放電灯本体５１０を過度に冷却すると、ハロゲンサイクルが生じにくくなり、黒
化が生じる場合がある。
そのため、低電力期間ＰＨ３の駆動電力Ｗが相対的に高い駆動電力Ｗに設定される場合
には、第１電極９２及び第２電極９３へ水銀Ｈｇが付着する可能性は低いため、高出力モ
ードを実行しないか、もしくは高出力モードの実行時間Ｓｐを短く設定することによって
、放電灯９０が過度に冷却されることを抑制し、黒化を抑制することが好ましい。
【０１４５】
したがって、本実施形態によれば、低電力期間ＰＨ３の駆動電力Ｗに基づいて、高出力
モードの実行、及び高出力モードの実行時間Ｓｐが設定されるため、低電力期間ＰＨ３の
駆動電力Ｗに応じて適切にファン電圧Ｖｆを設定することができる。
【０１４６】
なお、本実施形態においては、以下の構成を採用してもよい。
【０１４７】
上記説明においては、図１１に例示するように、低電力期間ＰＨ３の駆動電力ＷがＷｍ
２よりも小さい場合には、駆動電力Ｗの値に応じて、高出力モードの実行時間Ｓｐが設定
される構成としたが、これに限られない。本実施形態においては、例えば、ファン制御装
置２００ｂは高出力モードの実行の有無のみを判断する構成としてもよい。具体的には、
本実施形態においては、例えば、低電力期間ＰＨ３の駆動電力ＷがＷｍ２以上の場合は、
高出力モードを実行せず、低電力期間ＰＨ３の駆動電力ＷがＷｍ２より小さい場合には、
移行期間ＰＨ２の全体で高出力モードを実行する、すなわち、高出力モードの実行時間Ｓ
ｐをＳｐ３とする構成としてもよい。
【０１４８】
また、上記説明においては、高出力モードにおけるファン電圧Ｖｆは、定常点灯期間Ｐ
Ｈ１における定常出力モードでの定常ファン電圧Ｖｆｓとしたが、これに限られない。本
実施形態の高出力モードにおけるファン電圧Ｖｆは、図５や図６において示したファン電
圧Ｖｆのように設定されてもよい。
【０１４９】
また、本実施形態の高出力モードにおけるファン電圧Ｖｆは、低電力期間ＰＨ３の駆動
電力Ｗに基づいて設定されてもよい。
【０１５０】
また、本実施形態においては、プロジェクター１Ａの周囲の温度に基づいて、高出力モ
ードの実行時間Ｓｐが設定されてもよい。
【０１５１】
また、本実施形態においては、定常点灯期間ＰＨ１における定常点灯電力Ｗｓと低電力
期間ＰＨ３における駆動電力Ｗとの差に基づいて、高出力モードの実行の有無の判断、及
び高出力モードの実行時間Ｓｐの設定が行われてもよい。
【符号の説明】
【０１５２】
１Ａ…プロジェクター、５…光源装置、１０…放電灯点灯装置（放電灯駆動部）、４５
…投射光学装置（投射光学系）、９０…放電灯、Ｈｇ…水銀、Ｓｐ，Ｓｐ１，Ｓｐ２，Ｓ
ｐ３…実行時間、Ｗｍ…電力（第３駆動電力）、Ｗｐ…スタンバイ電力（第２駆動電力）
、Ｗｓ…定常点灯電力（第１駆動電力）、２００ｂ…ファン制御装置（制御部）、５１０
…放電灯本体、ＣＵ２…第２冷却装置（冷却部）、ＰＨ１…定常点灯期間（第１駆動期間
）、ＰＨ２…移行期間、ＰＨ３…低電力期間（第２駆動期間）、Ｔ…放電灯温度、Ｗ…駆
動電力
【図１】
2015191784.tif 000003
【図２】
2015191784.tif 000004
【図３】
2015191784.tif 000005
【図４】
2015191784.tif 000006
【図５】
2015191784.tif 000007
【図６】
2015191784.tif 000008
【図７】
2015191784.tif 000009
【図８】
2015191784.tif 000010
【図９】
2015191784.tif 000011
【図１０】
2015191784.tif 000012
【図１１】
2015191784.tif 000013
【図１２】
2015191784.tif 000014
【図１３】
2015191784.tif 000015